(57)【要約】【課題】重量物を掬い上げて運搬する時に、重量物を載せても重心が安定し、ハンドル操作で方向変更を容易にできる荷物運搬用の掬い込み型二輪車を提供することを目的とする。【解決手段】ホッパーを左右に開いて重量物を掬い込むことができる荷物運搬用の二輪車であって、ホッパー上の運搬物が安定して運べるようにリンク機構を用いて車台に対するハンドルの支持点を２箇所とすることにより、運搬時のハンドルの方向と車輪の方向が固定化され、車輪がハンドルにより誘導した方向に確実に向くことができる。【選択図】図２
2010260492.tif 000002
【特許請求の範囲】
【請求項１】
車輪を有する車台、該車台に支点を有し、左右に開閉する２つのホッパー及び該左右のホッパーと一体になって延在し、相互に交叉する箇所で上記支点と結合する２本のホッパー支持部材と、該ホッパー支持部材にそれぞれ一体化した２本の操作用ハンドル棒からなる荷物運搬用の掬い込み型手押し車において、
各端部を前記各ホッパー支持部材に回動自在に結合し、また連結する中間点を前記車台と一体になった長孔内に摺動可能に結合したリンク機構を設け、車台に対する両ハンドルの支持点を２箇所とすることにより、運搬時のハンドルの方向と車輪の方向が固定化され、車輪がハンドルにより誘導した方向に確実に向くことができることを特徴とする荷物運搬用の掬い込み型手押し車。
【請求項２】
前記リンク機構が、上記交叉点付近において、前記各ホッパー支持部材に各一方の端部を回動自在に結合し、他方の端部を相互に回動自在に結合した２本のリンク部材からなり、該相互に結合したリンク部材の結合端部を前記車台から延在するリンク支持部材に設けられた長孔に嵌合し、左右のハンドルを開閉した時、該リンク機構の結合端部が該長孔内を移動して、運搬時のハンドルの方向と車輪の方向が固定化されることにより、前記荷物運搬時の掬い込み運搬動作のバランスを良くして該運搬動作を安定化したことを特徴とする前記請求項１記載の荷物運搬用の掬い込み型手押し車。
【請求項３】
前記荷物運搬用の掬い込み型手押し車が、二輪車であることを特徴とする前記請求項１記載の荷物運搬用の掬い込み型手押し車。
【請求項４】
前記各ホッパーの先端が、前記手押し車を立てて荷物を掬い込めるように斜面（１００〜１４０°）となっていることを特徴とする前記請求項１記載の荷物運搬用の掬い込み型手押し車。
【請求項５】
前記車台の支点上に荷台となる基台を設けたことを特徴とする前記請求項１記
載の荷物運搬用の掬い込み型手押し車。
【請求項６】
前記ハンドルの先端が折り曲げられ、手押し車を水平にした時の支持点になると共に、前記手押し車を立てて荷物を掬い込む時の持ち手としても用いることを特徴とする前記請求項４記載の荷物運搬用の掬い込み型手押し車。
【発明の詳細な説明】
【技術分野】
【０００１】
本発明は、ガーデニング、農作業、土木作業等で、植木，石、砂等の重量物を運搬するための掬い込み型手押し車に関する。
【背景技術】
【０００２】
従来、石とか岩、あるいは植木等の重量物を手作業で運搬するのは難作業であった。特に、土木作業用の従来の一輪車を使って重量物を運搬するのは、荷物を荷台に載せる作業が困難であり、また載せた後もバランスを取ったまま一輪車を移動させるのが大変であった。
【０００３】
このため、同じ出願人は、従来の一輪車の欠点を無くし、ガーデニング、農作業、土木作業等で、一輪車を使って植木、石、砂等の重量物を運搬する時、一人で楽に一輪車に荷物を積み込め、移動も容易にできる掬い込み型一輪車を提案している。
【０００４】
上記提案の考案（実用新案登録第３１３３３２４号公報）の荷物運搬用の掬い込み型一輪車は、車軸を有する基台、該基台に支点を有し、左右に開閉する断面Ｌ字型の２つのホッパー及び上記左右のホッパーと各一体になり、ホッパーを左右に開くことができる２本の操作用ハンドルからなること、また、前記ホッパーの先端が、前記一輪車を立てて荷物を掬い込めるように垂直面となっていることを特徴とする。
【０００５】
上記提案の荷物運搬用の掬い込み型一輪車１は、図６に示すように、左右のホッパー５２，５３、基台６２、左右のハンドル５４，５５、車輪５９からなる一輪車である。荷物を運搬するときは、基台６２もしくはホッパー底面６３，６４の上に荷物を載せて、ホッパー５２，５３を閉じた状態でハンドル５４，５５を引っ張って、もしくは前方に押して運搬する。この移動動作自体は、通常の土木作業用一輪車と同様である。
【０００６】
前記ホッパー５２，５３は、水平面６３，６４からの垂直な立ち上がり面６０，６１を有する。また、各ホッパー底面は、ハンドル５４，５５から伸びる支持桿の先端部５６，５７で上記支持桿と回動可能に遊桿されていて、該遊嵌部はホッパー底面と上記支持桿先端がリベット又はボルトを支軸として連結されている。また、前記ホッパー支持桿は支軸５８を中心に回動可能に遊嵌されている。
【０００７】
車輪５９は、基台の底及び該基台から延在する車輪支持板に支持された車輪軸支持用の棒により、その軸受けが支持されている。各ホッパーは、前記支持桿が交叉するハンドル回動軸支持点５８の前方６７に支点を有していて、前記ハンドル５４，５５を開閉すると、前記支持桿の先端部５６，５７が左右に開閉し、これに応じてホッパー５２，５３が上記支点６７を中心に開閉する。なお、この時、前記の如く、支持桿の先端部５６，５７とホッパー底面は回動可能に遊嵌されているので、ハンドル５４，５５を開くと、ホッパーは、支点５８と支点６７の関係で軸５６，５７を中心にして多少回動しながら大きく開くことになる。
【０００８】
上記提案の荷物運搬用一輪車の積み込み動作は、以下のとおりである。図５において、運搬対象の岩や石等に対して、上記一輪車を立てて垂直な立ち上がり面６０，６１を地面に沿わせながら、該岩等に近づける。その後、ホッパー５２，５３をハンドル５４，５５で開いて当該岩を左右から挟み込む。挟んだ後、ハンドル５４，５５を手前に引き起こすと、岩等は車輪を支持点とする梃子の原理によりホッパー５２，５３の平坦部６３，６４あるいは基台６２上に載せることができる。荷台に載せられた岩等は、通常の一輪車と同様にして運搬され、移動先で上記と逆の動作により降ろせばよい。このように、上記荷物運搬用一輪車は、岩等の重量物を左右のホッパーで挟んで掬い挙げるので、荷台に載せる作業が楽になる。
【０００９】
しかし、上記提案の荷物運搬用の掬い込み型一輪車は、実際に試作してみると、岩等の重いものを運搬する時、ハンドルで方向を変えようとすると車輪がうまくハンドルの方向に追随しない欠点があることがわかった。その主な理由は、上記提案のものは、ハンドル５４，５５と車輪支持板は回転軸５８のみで連結しているため、ハンドルと車輪の一体感がなく、ハンドルの方向に車輪が向かわないためである。
【先行技術文献】
【特許文献】
【００１０】
【特許文献１】実用新案登録第３１３３３２４号公報
【発明の概要】
【発明が解決しようとする課題】
【００１１】
本発明は、左右に開閉する２つのホッパー及び上記左右のホッパーと各一体になり、ホッパーを左右に開くことができる２本の操作用ハンドルからなる荷物運搬用の掬い込み型手押し車であって、重量物を掬い上げて運搬する時に、重量物を載せても重心が安定してバランスが取れ、かつ、ハンドル操作で方向変更を容易にできてスムーズな移動を可能にする手押し車を提供することを目的とする。
【課題を解決するための手段】
【００１２】
この発明は、前記従来提案の欠点を改良し、ホッパーを左右に開くことができる荷物運搬用の掬い込み型手押し車であって、ホッパー上の運搬物を安定して運べるようにリンク機構を用いて車台に対するハンドルの支持点を２箇所として、運搬時のハンドルの方向と車輪の方向が固定化し、車輪がハンドルで誘導した方向に確実に向くことができる手押し車である。
【００１３】
すなわち、この発明の荷物運搬用の掬い込み型手押し車は、前記リンク機構が、上記交叉点付近において、前記各ホッパー支持部材に一方の端部を回動自在に結合し、他方の端部を相互に回動自在に結合した２本のリンク部材からなり、該相互に結合したリンク部材の上記結合端部を前記車台から延在するリンク支持部材に設けられた長孔に嵌合し、左右のハンドルを開閉した時、該リンク機構の結合端部が該長孔内を移動することにより、運搬時のハンドルの方向と車輪の方向が固定化され、前記荷物運搬時の掬い込み運搬動作のバランスを良くして該運搬動作を安定化したことを特徴とする。
【００１４】
さらに、前記荷物運搬用の掬い込み型手押し車が、二輪車であり、重量物を載せても重心が安定してバランスが取れることを特徴とする。あるいは、前記各ホッパーの先端が、前記一輪車を立てて荷物を掬い込めるように斜面（１００〜１４０°）となっていることを特徴とする。また、前記車台の支点上に荷台となる基台を設けたことを特徴とする。また、さらに、前記ハンドルの先端が折り曲げられ、手押し車を水平にした時の支持点になると共に、前記手押し車を立てて荷物を掬い込む時の持ち手としても用いることを特徴とする。
【発明の効果】
【００１５】
本発明の構成によれば、リンク機構を用いて運搬時のハンドルの方向と車輪の方向が固定化されるので、車輪がハンドルに沿った方向に向くことができる。
【００１６】
従って、車輪がハンドルにより誘導した方向に確実に向けることができるので、ホッパーを左右に開くことができる２本の操作用ハンドルからなる荷物運搬用の掬い込み型手押し車であっても、重量物を掬い上げて運搬する時に運搬動作をふらふらせずに安定化できる効果がある。
【図面の簡単な説明】
【００１７】
【図１】本発明の荷物運搬用の掬い込み型手押し車の全体斜視図である。
【図２】本発明の荷物運搬用の掬い込み型手押し車の部分分解図である。
【図３】本発明の荷物運搬用の掬い込み型手押し車の平面図、横側面図、前側面図である。
【図４】荷物運搬用の掬い込み型手押し車の開閉動作の説明図である。
【図５】従来提案及び本発明の荷物運搬用の掬い込み型手押し車の重量物の掬い込み動作を示す説明図である。
【図６】従来提案の荷物運搬用の掬い込み型一輪車の外観図である。
【発明を実施するための形態】
【００１８】
以下、本発明の実施の形態を図面に基づいて説明する。
【００１９】
図１に、本発明の荷物運搬用の掬い込み型手押し車の全体斜視図を示す。図２に、本発明の荷物運搬用の掬い込み型手押し車の部分分解図を示す。また、図３に、該掬い込み型手押し車の上面図、横側面図、前側面図を示す。図４は、該掬い込み型手押し車のホッパーの開閉動作を説明する図である。
【００２０】
図１，図２において、本発明の掬い込み型手押し車１の構造は、左右のホッパー１３，１４、ホッパー支持部材４１，４２、基台３２、車台１９、左右のハンドル４，５、及び車輪９，１０からなる２輪車である。
【００２１】
各ホッパーは、図１，図２に示されるように、ハンドル４，５とほぼ直角に結合するホッパー支持部材４１，４２を有し、該ホッパー支持部材４１，４２の先端にホッパー１３，１４が固定される。なお、ハンドル４，５の先端６，７は、図１に示される如く折り曲げられ、２輪車を水平にしたときの地面上の支持点となると同時に、面３６（図３）を地面に沿わせ、岩や石等を掬い込む時のハンドルとしても用いる。
【００２２】
ホッパー支持部材４１，４２は、交叉点１１（図２）で相互に回動自在に連結され、該連結点は、車台１９（図２）の結合点８及び基台の中心点１８に一体化される。車輪９，１０は、車台１９から延在する車台１９に一体化した車輪軸支持板により、その軸受けが支持されている。
【００２３】
荷物を運搬するときは、基台３２もしくはホッパー１３，１４の底面１５，１６（図４）の上に荷物を載せて、ホッパー１３，１４を閉じた状態でハンドル４，５を引っ張って、もしくは前方に押して運搬する。この運搬動作自体は、通常の土木作業用一輪車と同様である。
【００２４】
荷物を載せる動作は、従来提案の前記掬い込み一輪車と同様に（図５参照）、運搬対象の岩や石等に対して、上記手押し車を立てて立ち上がり面３６（図３）を地面に沿わせながら、該岩等に近づける。その後、開いたホッパー１３，１４をハンドルの先端部分６，７を手で持って該岩等を左右から挟み込む。挟んだ後、ハンドル４，５を手前に引き起こすと、岩等は車輪を支持点とする梃子の原理によりホッパー１３，１４の平坦部及び基台３２の底部１２上に載せることができる。
【００２５】
前記ホッパー１３，１４は、水平面（底面）からの立ち上がり面３６（図３）を有するが、実験の結果、該立ち上がり角度は、図３の横側面図に示されるように、地面との間の角度が約１２０°位が使い易い。しかし、１２０°でなくても、１００〜１４０°の任意の角度でもよい。
【００２６】
各ホッパー支持部材４１，４２は前記交叉する連結点１１に支点を有していて、前記ハンドル４，５を開閉すると、前記ホッパー１３，１４が上記支点１１を中心に開閉する。なお、該支点１１は、前記のように、車台の中心点（車の軸上の点）８に結合される。
【００２７】
上記ホッパー支持部材４１，４２は、前記交叉点の前方に連結するリンク機構を有する。該リンクは、リンク部材２７，２８を回動自在に連結したものであって、該リンク部材３０，３１の穴はそれぞれ前記ホッパー支持部材の交差点の前方４７，４８に回動自在に連結される。また、上記リンク部材同士の連結点２９は、前記車台１９から一体となって延在するリンク受け部材に設けられた長孔３５に填め込まれる。
【００２８】
従って、ハンドル４，５を開閉すると、図４に見られるように、前記ホッパー支持部材４１，４２も開閉し、同時にリンク部材２７，２８も開閉し、この時、リンクの連結点２９は前記長孔３５内を移動することになる。なお、上記リンク機構は、前記交差点の後方（ハンドル側）に設けてもよい。
【００２９】
以上のように、本発明の荷物運搬用の掬い込み型手押し車は、上記交叉点１１付近において、前記各支持部材に一方の端部を回動自在に結合し、他方の端部を相互に回動自在に結合したリンク部材からなるリンク機構を有し、該相互に結合したリンク機構の結合端部２９を前記車台から延在するリンク受け部材に設けられた長孔３５に嵌合して、左右のハンドルを開閉した時該結合端部２９が長孔内を移動することにより、前記荷物運搬用の掬い込み型手押し車の掬い込み運搬動作のバランスを良くしてハンドルによる車輪の動作を安定化させる。
【００３０】
このようにして、上記リンク機構により、閉じた時のハンドル４，５と車輪の方向が、前記交差点１１と各リンク機構を介した長孔３５内のリンク連結点の２箇所で同一方向に維持されるので、ハンドルを閉じて手押し車を運搬するとき、ハンドルによって車輪の方向の誘導が容易にできるようになる。
【００３１】
なお、本発明の手押し車の実施例は２輪車としたが、２輪車の方が運搬時の車台の安定性がよいためであって、従来のように１輪車でもよい。
【００３２】
図３は、本発明の荷物運搬用の掬い込み型手押し車の平面図、横側面図、前側面図である。また、図４は、荷物運搬用の掬い込み型手押し車の開閉動作の説明図である。図５は、従来提案の掬い込み一輪車および本発明の荷物運搬用の掬い込み型手押し車の重量物の掬い込み動作を示す説明図である。
【００３３】
図４（ａ）に示す如く、使用前及び運搬時は、前記ホッパー１３，１４（図４（ｂ）の１５，１６）は閉じた状態である。前記ホッパー１３，１４は、前述の如く、図４（ｂ）に示すように、ハンドル４，５を開くことによりホッパー１５，１６を左右に開くことができる。この時、前記リンク結合点２９が長孔３５内で移動して、車台とハンドルの方向が一致することになる。
【００３４】
岩等の運搬の際には、従来と同様に、図５に示す如く、２輪車を前に倒し、ホッパーを開いた状態で岩等を挟み、挟んだ状態でハンドルを手前に引き越して図３に示す如き運搬状態にする。この状態で手で押して、もしくは引っ張って２輪車を移動させ、移動先では上記と逆の手順で、まず手押し車を前方に倒してからホッパーを左右に開き、荷台の荷物を降ろす。
【産業上の利用可能性】
【００３５】
このように、本発明の手押し車によれば、従来の単純な荷台のみの一輪車では重量物を荷台に載せるのは困難であって、フォークリフト等を使わなければ運搬できなかった岩等の重量物を、該岩等をホッパーで挟んで、梃子の原理により荷台に載せて運搬できるので、産業上の利用性は高い。また、重量物を乗せても、重心が安定し、ハンドルによる移動方向の誘導も楽にできるので、産業上の利用性が高い。
【符号の説明】
【００３６】
４，５      ハンドル
８      支点
１３，１４      ホッパー
９，１０      車輪
１９      車台
２７，２８      リンク棒
３２      基台
４１，４２      ホッパー支持部材
【図１】
2010260492.tif 000003
【図２】
2010260492.tif 000004
【図３】
2010260492.tif 000005
【図４】
2010260492.tif 000006
【図５】
2010260492.tif 000007
【図６】
2010260492.tif 000008